(57)【要約】【課題】リラックス感など入浴者に快適さを与える機能をシステム全体で実現する噴流浴装置を提供する。【解決手段】本発明の噴流浴装置は、浴槽と、浴槽壁に開口され浴槽の内部に貯留された浴槽水が吸い込まれる吸入口と、吸入口から浴槽水を吸入し加圧して吐出する加圧装置と、加圧装置から供給される浴槽水を浴槽内に噴出させる噴流ノズルと、を備え、吸入口と噴流ノズルの噴出口との間の流路は大気との連通口に通じず噴流ノズルは実質気泡を有しない噴流を浴槽水中に噴出し、浴槽内の浴槽水の熱が逃げることを阻止するように、浴槽壁に遮音機能を有する断熱材を設けた。【選択図】図１
2009201546.tif 000002
【特許請求の範囲】
【請求項１】
浴槽と、
前記浴槽の浴槽壁に開口され前記浴槽の内部に貯留された浴槽水が吸い込まれる吸入口と、
前記吸入口から浴槽水を吸入し加圧して吐出する加圧装置と、
前記加圧装置から供給される浴槽水を前記浴槽内に噴出させる噴流ノズルと、
を備えた噴流浴装置であって、
前記吸入口と前記噴流ノズルの噴出口との間の流路は大気との連通口に通じず、前記噴流ノズルは実質気泡を有しない噴流を浴槽水中に噴出し、
前記浴槽内の浴槽水の熱が逃げることを阻止するように、前記浴槽壁に遮音機能を有する断熱材を設けたことを特徴とする噴流浴装置。
【請求項２】
前記浴槽壁に設けた前記断熱材に対して空間を隔てて対向する断熱材をさらに設け、
前記空間に、前記吸入口と前記噴流ノズルとの間の循環路および前記加圧装置を配置したことを特徴とする請求項１記載の噴流浴装置。
【請求項３】
前記噴流ノズルは旋回噴流を噴出することを特徴とする請求項１または２に記載の噴流浴装置。
【請求項４】
前記浴槽は、対向する一対の短辺浴槽壁と、対向する一対の長辺浴槽壁とを有し、
前記噴流ノズルは、一方の前記短辺浴槽壁における水平方向の中心線を挟んでその水平方向に並んで設けられた少なくとも２つのノズルを有することを特徴とする請求項１〜３のいずれか１つに記載の噴流浴装置。
【発明の詳細な説明】
【技術分野】
【０００１】
本発明は、浴槽内に噴流を噴出させる噴流ノズルを備えた噴流浴装置に関する。
【背景技術】
【０００２】
従来、噴流浴装置においては噴流刺激による人体のマッサージ機能に主眼を置いたものが主であった。特に刺激をより高めるには気泡入り噴流を人体に当てることが有効であるが、この場合、噴流噴出音が騒々しいことや、また空気混入時に浴槽水から空気への熱交換によって浴槽水温度の低下をきたすなど、長時間リラックスして噴流浴を楽しむことが難しかった。
【０００３】
特許文献１によれば、加圧水供給手段から供給される加圧水がノズルから噴出され、チャンバ内に流入し、そのチャンバ内に装着されている回転体が回転するとともに、被覆部材の蓋部の中央連通孔より噴流が浴槽内に噴出する。チャンバ内には水流のみが混入し、空気は混入しない構成とされている。しかし、噴流浴中における浴槽水の温度低下防止や、騒音に着目する記載及び示唆はない。
【０００４】
浴槽の保温に関しては特許文献２に開示があり、またポンプから発生する振動・騒音対策としては特許文献３に開示があるが、特許文献２、３はそれぞれ１つの機能にのみ着目したものであり、他の構成要素にも着目してシステム全体で、入浴者が快適な噴流浴を楽しめるということを実現するべくアプローチはされていない。
【０００５】
特許文献４には、噴出口が縦長若しくは横長或いは斜長のスリット形状に形成され、円形ノズルからのジェット噴流に比べて刺激の柔らかいジェット噴射を行うように構成したノズル構造が開示されている。しかし、気泡を混入させているためうるさくリラックスできるとはいえない。また、吸入空気に浴槽水の熱を奪われ、浴槽水温度が低下し身体が冷えてしまい、血流が悪くなり、リラックスできなくなるといったことも懸念される。
【特許文献１】特開２００７−１６７５８０号公報
【特許文献２】特開２００５−２７３８号公報
【特許文献３】特開平４−２８５５５８号公報
【特許文献４】特開２０００−１４００５８号公報
【発明の開示】
【発明が解決しようとする課題】
【０００６】
本発明は、上述の問題に鑑みてなされ、噴流浴において考慮すべき要素として複数の様々な要素に着目し、それら全体の相乗的な作用によって、リラックス感など入浴者に快適さを与える機能をシステム全体で実現する噴流浴装置を提供する。
【課題を解決するための手段】
【０００７】
本発明の一態様によれば、浴槽と、前記浴槽の浴槽壁に開口され前記浴槽の内部に貯留された浴槽水が吸い込まれる吸入口と、前記吸入口から浴槽水を吸入し加圧して吐出する加圧装置と、前記加圧装置から供給される浴槽水を前記浴槽内に噴出させる噴流ノズルと、を備えた噴流浴装置であって、前記吸入口と前記噴流ノズルの噴出口との間の流路は大気との連通口に通じず、前記噴流ノズルは実質気泡を有しない噴流を浴槽水中に噴出し、前記浴槽内の浴槽水の熱が逃げることを阻止するように、前記浴槽壁に遮音機能を有する断熱材を設けたことを特徴とする噴流浴装置が提供される。
【発明の効果】
【０００８】
本発明によれば、リラックス感など入浴者に快適さを与える機能をシステム全体で実現する噴流浴装置が提供される。
【発明を実施するための最良の形態】
【０００９】
［第１の実施形態］
図１は、本発明の実施形態に係る噴流浴装置の構成を示す模式図であり、浴槽を長辺浴槽壁側から見た図である。  
図２は、同噴流浴装置において浴槽を上面側から見た模式図である。
【００１０】
本実施形態に係る噴流浴装置は、浴槽１と、浴槽１の浴槽壁に開口された吸入口５と、循環路１３、１４と、循環路１３、１４の間に接続された加圧装置であるポンプ７と、浴槽壁に設けられた例えば２つの噴流ノズル（以下、単にノズルともいう）１１と、浴槽壁に設けられた遮音機能を有する断熱材１６とを備える。
【００１１】
浴槽１は、図２に示すように、略平行に相対向する一対の長辺浴槽壁３ａ、３ｂと、略平行に相対向する一対の短辺浴槽壁４ａ、４ｂとを有する。
【００１２】
吸入口５は一対の長辺浴槽壁３ａ、３ｂのうちの一方（図２に示す例では長辺浴槽壁３ｂ）に形成されている。ポンプ７が駆動されると、浴槽１の内部に貯留された浴槽水（湯も含む）は吸入口５を介して循環路１３へと吸い込まれる。
【００１３】
一般に、入浴者は、向かい合う一対の短辺浴槽壁４ａ、４ｂのうちの一方に背をもたれかけて他方の短辺浴槽壁に足を向けた姿勢で入浴するため、吸入口５を短辺浴槽壁に形成した場合には、入浴者の背中や足裏で吸入口５がふさがれポンプ７に過剰の負荷がかかることが懸念される。したがって、吸入口５は、入浴者の身体の一部等によってふさがれにくい長辺浴槽壁に形成するのが望ましい。
【００１４】
循環路１３の一端は吸入口５に接続され、他端はポンプ７の吸込口に接続されている。循環路１４の一端はポンプ７の吐出口に接続され、他端は各ノズル１１に接続されている。ポンプ７は、吸入口５から循環路１３内に浴槽水を吸い込むと共に、その吸い込んだ浴槽水を加圧してポンプ７の下流側の循環路１４に吐出する。このポンプ７から吐出された加圧浴槽水は、各ノズル１１の内部に流入する。なお、使用していないときに、ポンプ７内部の残留水を抜くために、ポンプ７は吸入口５よりも上方に設けることが望ましい。
【００１５】
本実施形態では、一対の短辺浴槽壁４ａ、４ｂのうちの一方の例えば短辺浴槽壁４ａに２つのノズル１１を取り付けている。ここで、図２の平面視において、短辺浴槽壁４ａ、４ｂの水平方向の中心を通る中心線Ｃを１点鎖線で示す。２つのノズル１１は、その中心線Ｃを挟んでその水平方向に互いに離間して並んで設けられている。上記中心線Ｃに対する各ノズル１１の離間距離は略同じであり、また、２つのノズル１１の設置高さは略同じ高さである。
【００１６】
ノズル１１は浴槽１のあふれ縁より下で、短辺浴槽壁４ａに対して保持されている。ここで、「あふれ縁」とは、浴槽１内に浴槽水をためていったとき、最初に浴槽１内から溢れる部分の浴槽１の縁（またはリム）を意味する。このような構成のため、ノズル１１からの噴流を浴槽１内に貯留された浴槽水中に噴出させることができる。
【００１７】
また、本実施形態では、図１に示すように、浴槽壁に断熱材１６を設けている。断熱材１６は、浴槽壁の外壁面（底部裏面も含む）に貼り付けられ、浴槽壁を外側から覆っている。あるいは、浴槽壁自体を断熱材から構成してもよい。
【００１８】
断熱材１６は、浴槽内の浴槽水の熱が逃げることを阻止する機能はもちろん、遮音性（もしくは吸音性）も有する。このような遮音機能も有する断熱材１６の材料として、例えば、発泡塩化ビニル、発泡スチロール、発泡ポリプロピレン、発泡ポリエチレン、発泡ポリウレタン、フェノールフォームなどを挙げることができる。あるいは、微細なシリカやガラス繊維の外側を樹脂フィルムで拘束し、内部を脱気した真空断熱材を用いてもよい。
【００１９】
ノズル１１において短辺浴槽壁４ａの外側に突出する部分は、断熱材１６に形成された開口を通じて断熱材１６の外側に延出し、循環路１４と接続されている。ポンプ７は、ノズル１１が取り付けられた短辺浴槽壁４ａ側のリム２下空間に設けられている。リム下空間にポンプ７を設置すると、吸入口５とノズル１１とを接続する配管を浴室外に出す必要がなく、限られた浴室設置スペースを有効に使うことができる。
【００２０】
また、吸入口５とノズル１１の噴出口との間の流路は大気との連通口に通じず、ノズル１１は実質気泡を有しない噴流、好ましくは水流のみからなる噴流を浴槽水中に噴出する。
【００２１】
図３は、第１の実施形態に係るノズル１１ａの模式断面図である。このノズル１１ａは、図１、２に示すノズル１１に対応する。
【００２２】
ノズル１１ａは、主として、ノズル本体３１、固定部材３２、回転体３３、ノズルカバー３４を備える。図３において短辺浴槽壁４ａの左側が浴槽内であり、右側が浴槽外側のリム下空間である。
【００２３】
ノズル本体３１はリム下空間で固定部材３２に結合され、固定部材３２は短辺浴槽壁４ａに固定して取り付けられている。したがって、ノズル本体３１は、固定部材３２によって短辺浴槽壁４ａに対して固定保持されている。
【００２４】
ノズル本体３１の上流側にはエルボ形状に屈曲した流水導入路４３が設けられている。固定部材３２及びこれに結合されたノズル本体３１の下流側の大径部３１ａは筒状に形成され、この筒状の内部空間は、流水導入路４３に連通し且つ流水導入路４３の径よりも大きな径の空間となっている。
【００２５】
その空間内には、円筒状の回転体３３が設けられている。回転体３３の軸中心を回転軸５５が貫通しており、回転軸５５は、ノズルカバー３４及びノズル本体３１に対して支持されている。回転体３３は、回転軸５５に対して固定され回転軸５５と共に回転する、もしくは固定された回転軸５５に対してそのまわりに回転する。
【００２６】
回転体３３の上流側端部には、回転中心に対して対称的に広がるバッファ室４６が形成されている。バッファ室４６よりも下流側には、バッファ室４６に連通する流路５６が形成されている。この流路５６は、回転体３３における回転中心に対して偏心した位置に設けられている。
【００２７】
回転体３３を下流側の端面側から見た図５に示すように、流路５６における上流側の入口５６ｂの中心と、下流側の噴出口５６ａの中心とは、回転体３３の回転面の周方向にずれており、回転体３３は、流路５６を通過する流水の反力によって回転する。
【００２８】
図４は、ノズルカバー３４の正面図を示す。ノズルカバー３４には、回転体３３が設けられた空間と、浴槽内とを連通させる開口３４ａが形成され、その開口３４ａを通じて、回転体３３の噴出口５６ａから浴槽内に噴流を噴出させることができる。
【００２９】
以上説明したように構成される本実施形態に係る噴流浴装置において、浴槽１近傍に設けられた図示しないコントローラのスイッチを入浴者が操作すると、ポンプ７が起動し、浴槽１内に貯留された浴槽水が吸入口５から循環路１３内へと吸い込まれる。この吸い込まれた浴槽水は、ポンプ７にて加圧されて、循環路１４を介して、図３に示すノズル１１ａの流水導入口４４に導入される。
【００３０】
流水導入口４４から流水導入路４３内に導入された加圧浴槽水は、流水導入路４３を下流側へと導かれてその下流端の流水流入路４５に至り、回転体３３のバッファ室４６に流れ込む。流水流入路４５は、流水導入路４３に比べ流路断面が縮小されており、そこで流れが加速されてバッファ室４６内に流入する。
【００３１】
バッファ室４６内に流入した流水は、流路５６の内部を流れ、さらに噴出口５６ａ及びノズルカバー３４の開口３４ａを通過して、浴槽１内に貯留された浴槽水中に噴流として噴出する。
【００３２】
ここで、流路５６の軸方向の両端開口（入口５６ｂと噴出口５６ａ）が回転体回転面の周方向にずれるように、流路５６が回転軸５５に対して傾いているため、流路５６内を流れる水流は回転体３３の周方向速度成分を持ち、その水流の反力により回転体３３が回転される。
【００３３】
回転体３３の回転に伴って、噴出口５６ａは、回転体３３の回転中心のまわりを周方向に移動し、これにより、ノズル１１ａからは回転しながら浴槽水中を進む噴流（旋回噴流）が噴出される。
【００３４】
本実施形態では、噴流に気泡を混入しないため、その気泡に浴槽水の熱が奪われることがなく、さらに断熱材１６で浴槽壁を覆うことで浴槽水の保温効果を高めていることもあって、噴流浴中における浴槽水の温度低下を抑制できる。したがって、入浴者は体が十分に温められた状態で噴流マッサージを受けるため血行が促進されマッサージ効果が高まる。また、特に長時間にわたる噴流浴中であっても、入浴者は体の冷えを感じることなくリラックスして噴流浴を楽しむことができる。もちろん、浴槽水の保温効果を高めることは、浴槽水を温め直す追い焚きにエネルギーを無駄に消費することを回避して省エネルギーである。
【００３５】
噴流に気泡を混入しないため、吸入口５とノズル１１の噴出口との間の流路は、大気との連通口（空気取り入れ口）に通じていない。この結果、空気が浴槽水の循環流路内に取り込まれる際の音や、気泡発泡音が発生せず、入浴者は静かな環境でよりリラックスして噴流マッサージを受けることができる。特に空気を混入する際に発生する気泡混入時の気液混合音は、大気との連通口を通して浴槽外へ伝播するが、本実施形態では、大気との連通口自身がないため、静かな環境でよりリラックスして噴流マッサージを受けることができる。
【００３６】
噴流音の静音化は、今まで噴流音にまぎれてあまり気にならなかったポンプ７の駆動音や、循環路内水流音の顕在化をまねく。しかし、本実施形態では、浴槽壁に設けた断熱材１６が遮音機能を兼ねる材料でもあるため、ポンプ駆動音などの浴槽外部で発生した音も、浴槽入浴者に対して低減でき、入浴者は、噴流音、ポンプ駆動音、循環路内水流音を気にせず静かな環境でよりリラックスした入浴が可能となる。
【００３７】
また、人体が気泡入り噴流を受けた場合、噴流が衝突していると感じる部位とそうでない部位との境界は、複数点における気泡の衝突感及び浮力による気泡の上昇によりあいまいとなり、人体表面での水流の移動を明瞭に感じることは難しい。そのため、水流で押されたまま人体表面を移動する感じは受けられず、指で押されたまま人体表面上を移動するような指圧マッサージ感を得にくい。
【００３８】
これに対して、本実施形態のノズル１１ａは、実質気泡を有しない旋回噴流を浴槽水中に噴出し、さらに前述した静音化により耳のみならず他の感覚器も外部の刺激等に対して鋭敏となり水流移動を肌で感じやすいことも相俟って、入浴者は人体表面での水流の移動を明瞭に感じることができ、水流で押される部位が人体表面上を移動する感じ、すなわち手もみ感や指圧感を得ることができる。
【００３９】
ここで、「実質気泡を有しない噴流」とは、水流のみからなる噴流が好ましいが、直径が数十μｍ以下の気泡（マイクロバブル、ナノバブル等）を含む噴流であってもよい。そのような直径が数十μｍ以下の気泡が噴流に含まれたとしても、人体表面での水流の移動を明瞭に感じることができる。
【００４０】
また、静音化によって感覚器が鋭敏になることで、肌が浴槽水の温度低下を感じやすくなるが、本実施形態では、断熱材１６によって浴槽水の保温を図っているため、浴槽水の温度低下を抑え入浴者に不快感を与えにくい。
【００４１】
以上説明したように、本実施形態によれば、噴流浴装置を構成する要素の一つのみに着目して、その要素の機能を単独で実現するのではなく、噴流浴装置を複数要素からなるシステムとして捉え、各要素をどう工夫し組み合わせればどのような相乗的作用によりシステム全体としてどのような機能が発現するかというアプローチで、入浴者に快適さを与えるべく設計している。これにより、入浴者が音や温度低下などの外部刺激をストレスに感じずにリラックスした状態で噴流マッサージを受けることができ、リラックスすることで筋肉の弛緩や血行が促進され、噴流マッサージの効果をより高めることができる。
【００４２】
［第２の実施形態］
図６は、本発明の第２の実施形態に係る噴流浴装置の構成を示す模式図である。
【００４３】
本実施形態では、浴槽壁に設けた前述の断熱材１６に対して、浴槽壁の外側で空間１８を隔てて対向する断熱材１７をさらに設けている。これら断熱材１６と断熱材１７との間の空間１８に、吸入口５とノズル１１との間の循環路１３、１４およびポンプ７を配置している。また、空間１８の上部は浴槽リム２によって覆われている。
【００４４】
断熱材１７は、浴槽壁に設けた断熱材１６と同様に断熱性及び遮音性（吸音性）を有し、例えば、発泡塩化ビニル、発泡スチロール、発泡ポリプロピレン、発泡ポリエチレン、発泡ポリウレタン、フェノールフォームなどを用いることができる。あるいは、微細なシリカやガラス繊維の外側を樹脂フィルムで拘束し、内部を脱気した真空断熱材を用いてもよい。
【００４５】
本実施形態では、前述した第１の実施形態の構成に加えて、断熱材１６と断熱材１７とに囲まれた空間１８にポンプ７及び循環路１３、１４を配置した構造を採用している。したがって、前述した第１の実施形態と同様の効果に加えて、さらなる静音化および浴槽水温度の低下抑制が図られ、入浴者はより快適に噴流浴を楽しむことができる。
【００４６】
すなわち、ポンプ７および循環路１３、１４を、遮音機能も有する断熱材１６、１７間の空間１８に閉じこめることで、ポンプ駆動音及び循環路内水流音が空間１８の外に漏れ出ることを防止でき、騒音をよりいっそう抑えることができる。これは入浴者に対しての騒音低減がなされるだけでなく、浴室外への音漏れも抑制することができ、特に集合住宅などでは隣室や階下への騒音漏れに気兼ねすることなく噴流浴を楽しめる。
【００４７】
また、浴槽水が浴槽１の外部を流れる部分（吸入口５から循環路１３、ポンプ７および循環路１４を経てノズル１１へと流入する経路）が上記空間１８内にあることで、その経路を流れているときの浴槽水の温度低下を抑制できる。この結果、ノズル１１から噴出される噴流の温度低下を抑制でき、入浴者が噴流衝突部位に冷たさを感じることがなく、また浴槽１内浴槽水全体の温度低下を抑制できる。
【００４８】
図７は、第２の実施形態に係るノズル１１ｂの模式断面図である。このノズル１１ｂは、図６に示すノズル１１に対応する。
【００４９】
ノズル１１ｂは、主として、ノズル本体３１、固定部材３２、回転体７５、ノズルカバー３４を備える。
【００５０】
回転体７５の下流側端面の中心は軸部材８５を介して回転自在にノズルカバー３４に支持されている。回転体７５の上流側端面における中心には回転体７５に一体に中空の回転軸７７が設けられている。回転軸７７は、回転体７５より上流側の流水導入路４３内に向けて延在し、その一端部はノズル本体３１に対して回転自在に支持されている。
【００５１】
回転体７５における回転中心（回転軸７７）に対して偏心した位置に第１の流路７６が形成されている。第１の流路７６の上流端開口である入口７６ｂの中心と、下流端開口である噴出口７６ａの中心とは、回転体７５の回転面の周方向にずれており、回転体７５は、第１の流路７６を通過する流水の反力によって回転する。
【００５２】
ノズル本体３１における、回転軸７７の一端部を支持する部分の近傍には、流水導入部７９が設けられている。流水導入部７９の内部は中空の回転軸７７の内部に形成された第２の流路７８に連通している。第２の流路７８は、回転軸７７の内部に形成された流路と、この流路に続いて回転体７５の内部に形成された流路とからなる。
【００５３】
第２の流路７８における回転体７５の内部に形成された部分の下流側部分は、回転体７５の半径方向に対して傾斜し、その最下流端開口である第２の流路７８の出口７８ａは、第１の流路７６の噴出口７６ａ付近に臨んでいる。すなわち、第２の流路７８は第１の流路７６に合流している。第２の流路７８は、第１の流路７６との合流部近傍では、第１の流路７６に対して平行でも垂直でもなく、傾斜して第１の流路７６に対して合流している。
【００５４】
以上のように構成されるノズル１１ｂにおいて、流水導入口４４から流水導入路４３内に導入された流水は流水導入路４３を導かれて第１の流路７６に流入する。ここで、第１の流路７６における入口７６ｂと噴出口７６ａとが回転体回転面の周方向にずれるように、第１の流路７６が回転軸方向に対して傾いているため、第１の流路７６内を流れる水流は回転体７５の周方向成分を持ち、その水流の反力により回転体７５が回転される。
【００５５】
流水導入部７９を介して第２の流路７８に導入された流水は、第１の流路７６の噴出口７６ａ付近で第１の流路７６を流れてきた流水と衝突する。このノズル１１ｂの前段（上流側）には、図示しない例えば三方弁などの流量分配機構が設けられ、第１の流路７６に導入される流水の流量と、第２の流路７８に導入される流水の流量との流量比を変更可能となっている。
【００５６】
第１の流路７６を流れる流水と、第２の流路７８を流れる流水との流量比を変化させることで、第１の流路７６と第２の流路７８との合流点での衝突噴流の、浴槽水中への噴出角度が変化して、噴出噴流の断面中心の移動半径が変化する。
【００５７】
また、第１の流路７６を流れる流水の流量を変更することで、この反力により回転される回転体７５の回転角速度を変えることができる。回転体７５の回転角速度の変化により、噴出噴流の断面中心の移動速度が変化する。
【００５８】
すなわち、ノズル１１ｂは、噴出噴流の断面中心の移動半径及び移動速度を変化させながら噴流噴出を行い、噴出口７６ａに正対する方向から見た噴流挙動（軌跡）が一定半径の円ではなく、曲率が変化する曲線を描き、その移動速度も一定ではなく変化している。この結果、機械的ではない変化に富んだ噴流刺激感が得られ、長時間入浴していても飽きがなくゆったりとリラックスできる。
【００５９】
また、第１の流路７６を流れる流水の流量、および第１の流路７６を流れる流水と第２の流路７８を流れる流水との流量比を不規則に変化させることで、ノズル１１ｂは、噴出噴流の断面中心の移動速度及び移動半径を不規則に変化させながら噴流噴出を行い、人の手もみ感覚に近い自然なマッサージ感が得られ、よりリラックス効果を高めることができる。
【００６０】
なお、上記第１の実施形態の回転体３３や、本実施形態の回転体７５を、モータにより回転駆動させてもよいが、流体反力により回転駆動させる構成の場合、機構が単純化され安価に製作が可能である。
【００６１】
なお、狭い部位を複数本の噴流束で押されるよりも単一（１本）の噴流束で押される方が、押されている点を入浴者が認知しやすく押圧点が人体表面上を移動する感じを得ることができ、自然な指圧感を感じやすい。すなわち、人体の皮膚は、互いに接近した複数部位への同時刺激よりも、１部位への刺激の方が刺激の変化をより感じやすい。
【００６２】
したがって、一つの回転体に２つの噴流流路（噴出口）があると互いに接近した２部位への同時刺激となり噴流の移動を感じにくいが、前述した実施形態のように、一つの回転体に一つの噴出口しか設けないことで、噴出噴流が人体表面上を移動する感じを得やすくできる。
【００６３】
［第３の実施形態］
次に、図８は、第３の実施形態に係るノズル１１ｃの模式断面図である。このノズル１１ｃは、図１または図６に示す噴流浴装置に適用され、それら図におけるノズル１１に対応する。
【００６４】
ノズル１１ｃは、大きく分けて、略円筒形状でほぼまっすぐに延在する筒体２０と、筒体２０の軸方向の上流側端部に設けられた湾曲部３０とを有する。筒体２０と湾曲部３０とは一体成形構造であってもよいし、別体のものを結合させてもよい。また、筒体２０は、略円筒形状に限らず、略楕円筒形状であってもよい。
【００６５】
湾曲部３０の内部には流水導入部２２が形成され、その流水導入部２２における上流側端部の最上流端には、前述した循環路１４と浴槽１の外部で接続される流水導入口２１が開口形成されている。筒体２０の軸方向の下流側端部には噴出口２６が開口形成されている。
【００６６】
流水導入部２２の下流側端部は、流水導入部２２の中で最も流路断面が縮小された流路断面収縮部２３として機能する。流路断面収縮部２３の最下流端は、筒体２０の軸方向の上流側端部に開口している。
【００６７】
流水導入部２２の流路断面は円形または楕円形であり、その流路断面積は、上流側端部から下流側端部である流路断面収縮部２３に向けて漸次減少している。すなわち、流水導入部２２の流路は、上流側端部から下流側端部である流路断面収縮部２３に向けて漸次細くなっている。
【００６８】
流路断面収縮部２３と噴出口２６との間の筒体２０の内部には、筒体２０の軸方向に延在するチャンバー２５が設けられている。
【００６９】
流路断面収縮部２３の流路断面の中心は、筒体２０の軸中心Ｃ１に一致している。流水導入部２２の流路断面の中心を通る流路中心線Ｃ２は曲率を有する曲線を描き、すなわち、流水導入部２２は湾曲している。その流路中心線Ｃ２の下流端位置は、チャンバー２５の軸中心Ｃ１に一致している。
【００７０】
流路断面収縮部２３は、筒体２０の内部に形成されたチャンバー２５に連通し、且つチャンバー２５に対して流路断面が縮小されている。また、流路断面収縮部２３は、その流路断面の中心を、チャンバー２５の軸中心Ｃ１に一致させて、チャンバー２５の軸方向に対して略平行に延在し、径が一定な直管状に形成されている。すなわち、流水導入部２２の流路は上流側から下流側に向けて漸次細くなり、その細くなった先には、流路径が一定な直管部として流路断面収縮部２３が続いている。
【００７１】
チャンバー２５の軸方向の上流側端部には、流路断面収縮部２３に対して流路断面が急拡大（例えば径が３倍以上急拡大された）された流路断面急拡大部２４が設けられている。流路断面急拡大部２４は、流路断面収縮部２３より下流側で流路断面収縮部２３に連通している。
【００７２】
チャンバー２５の軸方向の下流側端部には噴出口２６が開口している。チャンバー２５の内壁面は、流路断面急拡大部２４から噴出口２６の近傍に至るまで、チャンバー２５の軸中心Ｃ１に対して略平行に延在し、また、チャンバー２５は流路断面急拡大部２４の内径寸法のまま噴出口２６近傍まで続いている。チャンバー２５における軸方向の上流側端部が流路断面急拡大部２４として機能し、チャンバー２５における軸方向の下流側端部が噴出口２６として機能する。
【００７３】
流路断面収縮部２３から流路断面急拡大部２４にかけての流路壁面は略垂直に変化している。すなわち、流路断面収縮部２３の流路壁面は、チャンバー２５の軸方向に対して略平行であるのに対して、流路断面急拡大部２４として機能するチャンバー２５の軸方向の上流側端部の壁面は、流路断面収縮部２３の流路壁面に対して略垂直に続いて径外方に広がって形成されている。この流路壁面の急変化により、後述するように流路断面急拡大部２４にて、壁面からの流れの剥離が生じる。
【００７４】
噴出口２６近傍のチャンバー２５内には、噴出口２６へと通じるチャンバー２５内流路の一部を遮る遮蔽体２７を設けている。遮蔽体２７は例えば円盤状に形成され、その中心をチャンバー２５の軸中心Ｃ１に一致させて、チャンバー２５の内部に設けられている。
【００７５】
遮蔽体２７は、例えば、遮蔽体２７とチャンバー２５の内壁部との間に放射状に設けられた図示しない複数本の保持部材を介してチャンバー２５の内壁部に対して保持されている。それら保持部材は、円盤状の遮蔽体２７の外周面のまわりに周方向に沿って等間隔で設けられ、よって、遮蔽体２７によってチャンバー２５内流路のすべてが遮蔽されず、遮蔽体２７とチャンバー２５の内壁部との間には、チャンバー２５から噴出口２６への流水の流れを許容する流路が確保されている。
【００７６】
また、チャンバー２５の軸方向の下流側端部における噴出口２６へと続く内壁面に、チャンバー２５の軸中心Ｃ１に向けて傾斜した環状の傾斜面２８を形成している。傾斜面２８は、上流側から下流側に向かうにしたがって徐々に軸中心Ｃ１に近づくように傾斜している。
【００７７】
以上のように構成されるノズル１１ｃにおいて、流水導入口２１から導入された流水は、流水導入部２２を流れ、この下流側端部である流路断面収縮部２３から流路断面急拡大部２４を経てチャンバー２５内に噴流となって流入する。流水が、流路断面収縮部２３からチャンバー２５内に流入する際、流路断面の急拡大により、流路内壁面に沿って流れることができなくなり、流路内壁面に対して流れの剥離が生じる。
【００７８】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー２５の内壁面の周の一部に流れが再付着する。
【００７９】
チャンバー２５の内壁面に付着した主流は、そのままチャンバー２５内壁面に沿い、遮蔽体２７の外周面とチャンバー２５内壁面との間を噴出口２６に向かって流れ、噴出口２６の上流側手前でチャンバー２５の軸中心Ｃ１に向かうように傾斜して形成された傾斜面２８に沿って軸中心Ｃ１に対して傾斜した噴流として噴出口２６から浴槽１内に噴出する。
【００８０】
以上のようにして、チャンバー２５内に、主流（図８において太線矢印ａで表す）が形成される。
【００８１】
流路断面収縮部２３に比べて噴出口２６の流路断面が大きく、流れは下流に向かって減速、すなわち、チャンバー２５内部では下流に向かって静圧が増加する逆圧力勾配が形成されること、さらにチャンバー２５内に流路の一部を遮るように遮蔽体２７が設けられていることによって、前述した主流の一部は、噴出口２６から噴出されず、図８において矢印ｂで表すように、チャンバー２５の上流側に戻される。
【００８２】
その上流側に戻された流れが、流路断面急拡大部２４付近にて主流が剥離したよどみ領域に流れ込むことで、流路断面急拡大部２４付近で中心軸Ｃ１まわりに旋回流が形成され、これにより、主流の流路壁面に対する再付着位置が周方向で不規則に変化し、噴出口２６からは中心軸Ｃ１まわりに不規則に旋回した噴流が噴出される。本実施形態においても、ノズル１１ｃは実質気泡を含まない、好ましくは水流のみからなる噴流を噴出する。
【００８３】
このノズル１１ｃから噴出される噴流は、一般的に広く知られる気泡浴装置による細く強い直線的な噴流とは異なり、太くやわらかい旋回噴流であるため、腰を包み込む、背中、腰全体を押すようにもみほぐすなど、局所的に強い刺激感ではなく、広範囲をもみほぐすような手もみに近いマッサージ感を得ることができ、長時間入浴していても飽きがなくゆったりとリラックスできる。また、直線的な強い噴流を局所的に受ける場合には、所望の部位にその噴流を受けるべく姿勢を保つために緊張状態になりがちであったが、本実施形態の旋回噴流は広範囲にわたってやわらかい刺激を与えるため、入浴者に緊張を強いることなく、力を抜いたリラックスした状態にさせやすい。
【００８４】
また、本実施形態に係るノズル１１ｃは、内部に導入された流体自身が、前述したようにチャンバー２５内での還流作用によって、噴出口２６から噴出される噴流の旋回を励起する構成となっているため、回転摺動部分が不要である。さらに、チャンバー２５を形成した筒体２０は一重構造である。すなわち、ひとつの筒体２０によって周囲が囲まれる単一空間（流路）内で、噴出口２６へと向かう主流、および主流とは逆方向に流れる還流が形成され、浴槽水中に旋回噴流として噴出される。したがって、ノズル構造が単純化され、安価に作製することができ、またメンテナンスも容易になる。さらには、回転摺動部分における摩耗やゴミ詰まりなどによる旋回性能低下の心配もない。
【００８５】
図９は、本実施形態のノズル１１ｃから噴出される噴流束の太さと、その噴流束が移動する範囲を模式的に表す図である。図９において、噴流束の太さをａの円で表し、その噴流束が移動する所定範囲をＡの円で表す。また、噴流束（の中心）の移動軌跡例を１点鎖線で表す。
【００８６】
噴流束の太さは人の指の太さに対応し、所定範囲Ａはその指が移動する範囲に対応する。したがって、本実施形態によれば、指で押されたまま人体表面上を移動するような指圧マッサージ感が得られる。指（特に一般的な指圧でよく用いられる親指）でマッサージされている感覚を実現するためには、直径５ｃｍ以上１０ｃｍ以下の円内（所定範囲Ａ）を、１ｃｍ以上３ｃｍ以下の太さの噴流束で押しながら移動させるのが好ましく、よってノズル１１ｃの噴出口２６の直径を１ｃｍ以上３ｃｍ以下とするのがよい。
【００８７】
また、噴流束ａの移動速度や移動半径の時間変化の周波数は、１〜１０Ｈｚが好ましく、より好ましくは１〜６Ｈｚ程度がよい。このような周波数で噴流束ａの移動速度や移動半径が変化することで、噴出束の移動速度や移動範囲の変化を十分に感じることができ、人の指によるマッサージ刺激に似た自然な変化を持った刺激感が得られる。
【００８８】
［第４の実施形態］
次に、図１０は、第４の実施形態に係るノズル１１ｄの模式断面図である。このノズル１１ｄも、図１または図６に示す噴流浴装置に適用され、それら図におけるノズル１１に対応する。  
図１１は、図１０におけるノズル１１ｄを噴出口１２６側から見た正面図である。
【００８９】
ノズル１１ｄは、大きく分けて、略円筒形状でほぼまっすぐに延在する筒体１２０と、筒体１２０の軸方向の上流側端部に設けられた湾曲部１３０とを有する。筒体１２０は筒状の外側カバー１３１の内部に設けられ、湾曲部１３０はエルボカバー１３２の内部に設けられている。筒体１２０と湾曲部１３０とは一体成形構造であってもよいし、別体のものを結合させてもよい。
【００９０】
外側カバー１３１の下流側端部には、図１１に示すようにその中央部分に円形の貫通孔１３４ａが形成された円環状のフランジ部１３４が設けられている。その貫通孔１３４ａから筒体１２０の噴出口１２６を含む下流側端面が露出している。
【００９１】
湾曲部１３０の内部には流水導入部１２２が形成され、その流水導入部１２２における上流側端部の最上流端に開口形成された流水導入口１２１は、前述した循環路１４と接続される配管１３３と接続されている。
【００９２】
流水導入部１２２の下流側端部は、流水導入部１２２の中で最も流路断面が縮小された流路断面収縮部１２３として機能する。流路断面収縮部１２３の最下流端は、筒体１２０の軸方向の上流側端部に開口している。
【００９３】
流水導入部１２２の流路断面は円形または楕円形であり、その流路断面積は、上流側端部から下流側端部である流路断面収縮部１２３に向けて漸次減少している。すなわち、流水導入部１２２の流路は、上流側端部から下流側端部である流路断面収縮部１２３に向けて漸次細くなっている。
【００９４】
流路断面収縮部１２３の流路断面の中心は、筒体１２０及びチャンバー１２５の中心軸Ｃ１に一致している。流水導入部１２２の流路断面の中心を通る流路中心線Ｃ２は曲率を有する曲線を描き、流水導入部１２２は湾曲している。その流路中心線Ｃ２の下流端位置は、筒体１２０及びチャンバー１２５の中心軸Ｃ１に一致している。
【００９５】
筒体１２０の内部には筒体１２０の軸方向に延在するチャンバー１２５が形成され、流路断面収縮部１２３は、そのチャンバー１２５に連通し、且つチャンバー１２５に対して流路断面が縮小されている。また、流路断面収縮部１２３は、その流路断面の中心を、チャンバー１２５の中心軸Ｃ１に一致させて、チャンバー１２５の軸方向に対して略平行に延在し、径が一定な直管状に形成されている。すなわち、流水導入部１２２の流路は上流側から下流側に向けて漸次細くなり、その細くなった先には、流路径がほぼ一定な直管部（流路断面収縮部１２３）が続いている。
【００９６】
チャンバー１２５の軸方向の上流側端部には、流路断面収縮部１２３に対して流路断面が急拡大（例えば噴出口１２６からチャンバー１２５内を見た正面視でチャンバー１２５の略長方形状の長手方向の長さが４倍以上）された流路断面急拡大部１２４が設けられている。
【００９７】
筒体１２０の外形は円筒状であるが、その内部に中空穴として形成されたチャンバー１２５は、チャンバー１２５のみを抽出して模式的に示す図１２に示すように、流路断面急拡大部１２４から噴出口１２６にかけての断面形状が略長方形状に形成されている。すなわち、噴出口１２６からチャンバー１２５内を見た正面視でチャンバー１２５及び噴出口１２６の断面形状が略長方形状となっている。ここで、「略長方形状」とは、４つの角が直角に形成された矩形状に限らず、矩形において４つの角が丸まった（アールが付いた）形状や、略平行に対向する一対の直線を長辺として有すると共に短辺部分が曲線で構成されたオーバルもしくはレーストラック形状も含む。
【００９８】
チャンバー１２５の軸方向の下流側端部には、チャンバー断面と同じ「略長方形状」の噴出口１２６が開口している。チャンバー１２５の内壁面は、流路断面急拡大部１２４から噴出口１２６に至るまで、チャンバー１２５の中心軸Ｃ１に対して略平行に延在し、また、チャンバー１２５は流路断面急拡大部１２４の断面形状が略長方形状のまま噴出口１２６まで続いている。チャンバー１２５における軸方向の上流側端部が流路断面急拡大部１２４として機能し、チャンバー１２５における軸方向の下流側端部が噴出口１２６として機能する。
【００９９】
流路断面収縮部１２３から流路断面急拡大部１２４にかけての流路壁面は略垂直に変化している。すなわち、流路断面収縮部１２３の流路壁面は、チャンバー１２５の軸方向に対して略平行であるのに対して、流路断面急拡大部１２４として機能するチャンバー１２５の軸方向の上流側端部の端面は、流路断面収縮部１２３の流路壁面に対して略垂直に続いて径外方に広がって形成されている。この流路壁面の急変化により、後述するように流路断面急拡大部１２４にて、壁面からの流れの剥離が生じる。
【０１００】
流路断面収縮部１２３におけるチャンバー１２５内に臨む下流端開口は円形状に形成され、その中心はチャンバー１２５の軸中心に位置している。その流路断面収縮部１２３の下流端開口は、噴出口１２６からチャンバー１２５内を見た正面視において、チャンバー１２５の断面形状を形作る輪郭線よりも内側に位置し、図１１において円形で表される流路断面収縮部１２３の下流端開口の開口縁部は、同じ図１１において矩形状に表されるチャンバー１２５断面の輪郭線に対して離間し、それら開口縁部と輪郭線との間には上記正面視で隙間が存在する。
【０１０１】
図１０において、外側カバー１３１は浴槽壁に対して保持固定され、その内部に設けられた筒体１２０は外側カバー１３１に対して中心軸Ｃ１のまわりに回動自在となっている。図１１に示すように、筒体１２０の下流側端面には噴出口１２６が開口しているが、その下流側端面において噴出口１２６の長辺部の外側には、噴出口１２６を挟んで位置する２つのくぼみ３８が形成されている。くぼみ３８は、図１１において紙面奥側にくぼんでいる。これら２つのくぼみ３８を指でつまみながら、図１０における、筒体１２０を外側カバー１３１に対して回動させることができ、この筒体１２０の回動によって、噴出口１２６の長手方向を任意の向きに設定することができる。図１１においては、噴出口１２６の長手方向は縦向きにされているが、横向きにしたり、縦横に対して傾いた向きにしたりと、自由にその向きを変えることができる。
【０１０２】
前述したポンプ７が起動すると、浴槽１内に貯留された浴槽水が吸入口５から循環路１３内へと吸入され、その吸入された浴槽水は、ポンプ７にて加圧されて、循環路１４を介して、ノズル１１ｄの流水導入部１２２に導入される。
【０１０３】
ここで、図１３（ａ）〜（ｄ）において左側に表される図は、チャンバー１２５内での流水の挙動を説明するための模式図であり、その図の右側には噴出口１２６側から見た正面図を示す。この正面図において、噴出噴流の正面側から見た位置を１点鎖線の円で模式的に表す。（ａ）において左側の図は、その右側の図におけるＡ−Ａ断面に対応し、（ｂ）〜（ｄ）の各図においても同様である。
【０１０４】
流水導入部１２２に導入された加圧浴槽水は、流路断面収縮部１２３および流路断面急拡大部１２４を順に経てチャンバー１２５内に噴流となって流入する。加圧浴槽水が、流路断面収縮部１２３からチャンバー１２５内に流入する際、流路断面の急拡大により、筒体１２０の内壁面に沿って流れることができなくなり、すなわち流路内壁面に対して流れの剥離が生じる。
【０１０５】
一般的に、噴流は、外部流体との運動量交換により外部流体を加速し、噴流内部に巻き込む。このとき、噴流近傍に壁面が存在すると、外部流体を内部に引き込むように作用する引きつけ力の反作用により、噴流自身が壁面に向かって曲げられ、再び流れが壁面に沿うようになる。つまり、チャンバー１２５の内壁面の一部に流れが再付着する。
【０１０６】
チャンバー１２５の内壁面に付着した主流ａは、そのままチャンバー１２５の内壁面に沿って噴出口１２６に向かって流れ、噴出口１２６の出口断面の一部に偏って浴槽１内に噴出する。
【０１０７】
流路断面収縮部１２３に比べて噴出口１２６の流路断面が大きく、流れは下流に向かって減速、すなわち、チャンバー１２５内部では下流に向かって静圧が増加する逆圧力勾配が形成されることによって、前述した主流ａの一部は噴出口１２６から噴出されず、図１３（ｂ）において矢印ｂで表すように、チャンバー１２５の上流側に戻される。
【０１０８】
その上流側に戻された流れが、図１３（ｃ）に表すように、流路断面急拡大部１２４付近にて主流が剥離したよどみ領域に流れ込むことで、図１３（ｄ）に表すように、流路断面急拡大部１２４付近で中心軸Ｃ１まわりに旋回流が形成され、これにより、主流の内壁面に対する再付着位置が不規則に変化し、チャンバー１２５内には中心軸Ｃ１まわりに不規則に旋回する流れが形成される。
【０１０９】
ここで、流路断面収縮部１２３のチャンバー１２５に臨む下流端開口の開口縁部（図示の例では円形状）と、チャンバー１２５の略長方形状の輪郭線（すなわちチャンバー１２５の周囲を囲む４つの内壁面）と、の間には、前述した隙間が存在することから、チャンバー１２５内の上記よどみ領域に、流路断面収縮部１２３の下流端開口径よりも広がった空間が流路断面収縮部１２３の下流端開口の全周方向に存在し、そこでの旋回流の形成を可能とする。
【０１１０】
そして、噴出口１２６も含めたチャンバー１２５の断面形状は前述したように略長方形状であるため、その短手方向への旋回流の広がり（膨らみ）は規制され、結果として噴出口１２６からはその長手方向に不規則に往復移動する噴流が噴出される。図１３（ｄ）の右側の正面図において、正面側から見た噴出噴流の位置の移動軌跡を１点鎖線の矢印で模式的に表す。
【０１１１】
流路断面収縮部の流路径（図１０におけるｄ）を８．３ｍｍ、チャンバー１２５の軸方向長さ（図１０におけるＬ）を７６．６ｍｍ、チャンバー１２５及び噴出口１２６の断面における長手方向寸法（図１１におけるＤ）を３４ｍｍ、チャンバー１２５及び噴出口１２６の断面における短手方向寸法（図１１におけるＷ）を１４ｍｍ、流路断面収縮部１２３におけるチャンバー１２５内に臨む下流端開口の開口縁部と、チャンバー１２５の断面輪郭線における長辺部との間の距離（図１１におけるＸ）を２．８５ｍｍにそれぞれ設計し、ノズル内への供給流量を２５〜４５リットル／分とした場合に、噴出口１２６の長手方向に往復して振れるような噴流の噴出を確認できた。
【０１１２】
前述したように筒体１２０を回動させることで噴出口１２６の長手方向を縦向きにしたり、横向きにしたり、斜め向きにしたりと任意にその向きを設定できるため、例えば噴出口１２６を縦向きにした場合に、入浴者がノズル１１ｄが取り付けられた短辺浴槽壁４ａに背中を向けた姿勢で入浴すれば、背骨に沿って往復移動する噴流マッサージを受けることができる。
【０１１３】
同じく噴出口１２６を縦向きにした場合において、入浴者が足裏をノズル１１ｄ側に向けた姿勢で入浴すれば、足裏における足先と踵との間の足裏縦方向に沿って往復移動する噴流マッサージを受けることができる。
【０１１４】
また、噴出口１２６を横向きにした場合において、入浴者が足裏をノズル１１ｄ側に向けた姿勢で入浴すれば、足の指の付け根部分に沿って往復移動する噴流マッサージを受けることができる。
【０１１５】
このような往復移動する噴流によるマッサージは、一般に広く知られる気泡浴装置による細くて強く、まっすぐに噴出する直線的な噴流では得られないものである。しかも、そのような直線噴流に比べて、本実施形態によって実現される噴流は太くてやわらかいため、局所的に強い刺激感ではなく、もみほぐすような手もみに近いマッサージ感を得ることができ、長時間入浴していても飽きがなくゆったりとリラックスできる。
【０１１６】
また、本実施形態に係るノズル１１ｄは、チャンバー１２５の流路断面急拡大部１２４から断面形状が略長方形状のまま噴出口１２６まで続いており、内部に導入された流体自身が、前述したようにチャンバー１２５内での還流作用によって、噴出口１２６から噴出される噴流の往復移動を励起する構成となっているため、チャンバー１２５が凸凹の少ない形状になっているため、汚れも付き難くメンテナンスや製作も容易である。また、噴出方向切り換え用の三方弁が不要であり、ノズル構造が単純化され、安価に作製することができ、またメンテナンスも容易になる。さらには、細い制御用流路がないため、ゴミ詰まりなどの心配もない。
【０１１７】
また、本実施形態では、チャンバー１２５を囲む筒体１２０は一重構造である。すなわち、ひとつの筒体１２０によって周囲が囲まれる単一空間（流路）内で、噴出口１２６へと向かう主流、および主流とは逆方向に流れる還流が形成され、浴槽水中に往復噴流として噴出される。したがって、構造が単純化され、安価に作製することができ、またメンテナンスも容易になる。さらには、ゴミ詰まりの心配もない。
【０１１８】
前述した第１〜第３の実施形態に示したノズル１１ａ〜１１ｃからは回転もしくは旋回噴流が噴出され、人体に対する噴流衝突部位は円や楕円を描くように人体表面上を移動する。これは、往復移動する噴流よりも広範囲に当たるため、広範囲の筋肉を刺激したり、広範囲の温度境界層を破壊し、より効果的に温めることができる。また、広背筋は背骨を挟んで左右対称にあるので、短辺浴槽壁の水平方向に並んで設けた２つのノズルを使うことで、左右両側の広背筋を同時に刺激し効果的な血行促進を図れる。
【０１１９】
また、一般に、筋束が走っている方向に対して直交する方向に押圧力をかけながら移動させると筋肉を確実にほぐすことができマッサージ効果が高い。ここで、広背筋は背骨に対して斜めに筋束が走っているため、噴流衝突部位が円や楕円を描く軌跡で移動することで筋束に対して直交する方向に押し移動する成分が確実に含まれ、筋肉をほぐして効果的なマッサージを行うことができる。
【０１２０】
また、腰の筋肉の筋束は背骨に沿った方向に走っており、この部位に対しては、往復振動する噴流を噴出できる第４の実施形態のノズル１１ｄを用いて、その往復振動方向を水平方向に設定することで、腰の筋肉の筋束に対して直交する方向に押し移動するマッサージを行うことができ、効果的なマッサージを行うことができる。
【図面の簡単な説明】
【０１２１】
【図１】本発明の第１の実施形態に係る噴流浴装置の構成を示す模式図であり、浴槽を長辺浴槽壁側から見た図である。
【図２】同噴流浴装置において浴槽を上面側から見た模式図。
【図３】本発明の第１の実施形態に係るノズルの模式断面図。
【図４】図３に示すノズルにおけるノズルカバーの正面図。
【図５】図３に示すノズルにおける回転体の正面図。
【図６】本発明の第２の実施形態に係る噴流浴装置の構成を示す模式図。
【図７】本発明の第２の実施形態に係るノズルの模式断面図。
【図８】本発明の第３の実施形態に係るノズルの模式断面図。
【図９】図８に示すノズルから噴出される噴流の挙動を説明するための模式図。
【図１０】本発明の第４の実施形態に係るノズルの模式断面図。
【図１１】図１０に示すノズルの正面図。
【図１２】図１０に示すノズルにおけるチャンバーの模式図。
【図１３】図１０に示すノズルから噴出される噴流の挙動を説明するための模式図。
【符号の説明】
【０１２２】
１…浴槽、３ａ，３ｂ…長辺浴槽壁、４ａ，４ｂ…短辺浴槽壁、５…吸入口、７…加圧装置、１１，１１ａ〜１１ｄ…噴流ノズル、１３，１４…循環路、１６，１７…断熱材
【図１】
2009201546.tif 000003
【図２】
2009201546.tif 000004
【図３】
2009201546.tif 000005
【図４】
2009201546.tif 000006
【図５】
2009201546.tif 000007
【図６】
2009201546.tif 000008
【図７】
2009201546.tif 000009
【図８】
2009201546.tif 000010
【図９】
2009201546.tif 000011
【図１０】
2009201546.tif 000012
【図１１】
2009201546.tif 000013
【図１２】
2009201546.tif 000014
【図１３】
2009201546.tif 000015